(57)【特許請求の範囲】
【請求項１】
第１の透明電極が配置された第１透明基板と、
前記第１の透明電極に対向する第２の透明電極が配置された第２透明基板と、
前記第１透明基板と前記第２透明基板との間に封止され、電圧が印加されていないときに垂直配向となる液晶層とを備え、
前記第１の透明電極および前記第２の透明電極のそれぞれに、十字形の開口部および小片の開口部が格子状に設けられ、
前記第１の透明電極に設けられる十字形の開口部および小片の開口部のパターンと、前記第２の透明電極に設けられる十字形の開口部および小片の開口部のパターンとが同じであり、
前記十字形の開口部は、十字形の横方向に伸びる部分がそれぞれ直線上に並び、十字形の縦方向に伸びる部分がそれぞれ直線上に並ぶように設けられ、
前記小片の開口部は、十字形の横方向に伸びる部分が並ぶ直線上であって、隣接する十字形の開口部の間の部分、および、十字形の縦方向に伸びる部分が並ぶ直線上であって、隣接する十字形の開口部の間の部分に設けられ、
前記第２の透明電極に設けられる十字形の開口部は、観察者方向から見たときに、前記第１の透明電極において縦方向および横方向に２つずつ並ぶ４つの十字形の開口部の対向する凹頂点同士を対角の頂点とする正方形の領域の中央に位置する
ことを特徴とする液晶表示素子。
【請求項２】
前記小片の開口部の形状が、矩形または円形である請求項１に記載の液晶表示素子。
【請求項３】
十字形の開口部の凹頂点から当該十字形の開口部の端部までの長さが５〜４０μｍの範囲内にある
請求項１または請求項２に記載の液晶表示素子。
【請求項４】
小片の開口部は、十字形の開口部の中心同士を結ぶ直線上に、当該小片の開口部の中心が位置するように設けられる
請求項１から請求項３のうちのいずれか１項に記載の液晶表示素子。
【請求項５】
第１透明基板における液晶層と反対側の面に第１偏光板を備え、
第２透明基板における液晶層と反対側の面に第２偏光板を備え、
前記第１偏光板の偏光軸は、十字形の開口部の横方向に伸びる部分、または、縦方向に伸びる部分のいずれかと平行であり、
前記第２偏光板の偏光軸は、前記第１偏光板の偏光軸と直交する
請求項１から請求項４のうちのいずれか１項に記載の液晶表示素子。
【請求項６】
観察者方向から見たときに、第１の透明電極の十字形の開口部と当該十字形の開口部に最も近い第２の透明電極の十字形の開口部の対向する凹頂点同士を対角の頂点とする正方形の領域であるサブ画素領域の一辺の長さが、２０〜６０μｍの範囲内にある
請求項１から請求項５のうちのいずれか１項に記載の液晶表示素子。
【請求項７】
十字形の開口部の凹頂点から隣接する十字形の開口部で対応する位置に存在する凹頂点までの距離が、６０〜１４０μｍの範囲内にある
請求項１から請求項６のうちのいずれか１項に記載の液晶表示素子。
【請求項８】
十字形の開口部の縦方向および横方向に伸びる部分の幅が、７〜１４μｍの範囲内にある
請求項１から請求項７のうちのいずれか１項に記載の液晶表示素子。
【請求項９】
第１の透明電極として、複数の列電極を備え、
第２の透明電極として、前記複数の列電極に直交する複数の行電極を備え、
各列電極は、個々の画素に該当する領域で開口部の配置が共通であり、
各行電極は、個々の画素に該当する領域で開口部の配置が共通である
請求項１から請求項８のうちのいずれか１項に記載の液晶表示素子。
【請求項１０】
第１の透明電極として、セグメント電極を備え、
第２の透明電極として、コモン電極を備え、
第１の透明電極および第２の透明電極において、それぞれ、一様な配列になるように開口部が設けられている
請求項１から請求項８のうちのいずれか１項に記載の液晶表示素子。
【発明の詳細な説明】
【技術分野】
【０００１】
本発明は、ＶＡ（Vertical Alignment）型の液晶表示素子に関する。
【背景技術】
【０００２】
液晶表示素子として、電圧が印加されないときの液晶層における液晶分子の配向（初期配向）が基板面に対して略垂直な垂直配向となる液晶表示素子がある。このような液晶表示素子をＶＡ（Vertical Alignment）型の液晶表示素子と呼ぶ。ＶＡ型の液晶表示素子では、誘電異方性が負である液晶が用いられる。そして、液晶層に電圧を印加することによって、液晶（液晶分子）の配向方向を基板面に平行な方向に変化させる。このようなＶＡ型の液晶表示素子の例が特許文献１に記載されている。ＴＮ（Twisted Nematic ）型の液晶表示素子やＳＴＮ（Super Twisted Nematic ）型の液晶表示素子と比較すると、ＶＡ型の液晶表示素子では応答性が高く、高コントラストの表示を実現することができる（特許文献２参照）。
【０００３】
電圧を印加していないときの液晶の配向が基板に対して完全に垂直である場合には、電圧を印加したときに液晶が傾く方向を規定することができない。その結果、液晶の配向が一様にならず表示品位が低下する。そのため、何らかの方法で、プレチルト角を付けるか、電圧印加時に液晶が傾く方向を規定する必要がある。プレチルト角を付ける方法または電圧印加時に液晶が傾く方向を規定する方法として、印加電圧による電界方向を基板面に対して斜めにする斜め電界法、電極等にリブ構造を設けるリブ法、酸化珪素（ＳｉＯ２）を基板に斜めに蒸着する斜め蒸着法等がある。また、垂直配向性の配向膜にラビング処理を施すことによって液晶の配向方向を規定することもできる。
【０００４】
また、液晶の配向方向を規定する方法として、電極にスリットを形成する方法がある。例えば、特許文献３には、電極に複数の開口部を規則的に設けることにより、その開口部によって規定される領域の液晶分子を軸対称状（放射状）に配向させる液晶表示素子が記載されている。また、液晶分子が軸対称状（放射状）に配向した状態が特許文献４に図示されている。液晶分子を軸対称状に配向させることにより、複数の配向方向を混在させて視野角特性を向上させることができる。すなわち、広い視野角を得ることができる。
【先行技術文献】
【特許文献】
【０００５】
【特許文献１】特開２００３−２０７７８２号公報（段落０００２−０００４）
【特許文献２】特開２００６−１１３６２号公報（段落００１４）
【特許文献３】特許第３３６７９０２号公報（図４、図５等）
【特許文献４】特許第３６０１７８８号公報（図５）
【発明の概要】
【発明が解決しようとする課題】
【０００６】
ラビング処理を施す方法では、歩留まりが低下しやすく、また、複数の配向方向を混在させることによる視野角特性の向上が難しいという問題がある。また、電極等にリブ構造を設けるリブ法では、液晶表示素子の製造工程数が多くなり、生産コストが上昇するという問題がある。
【０００７】
また、特許文献３に記載された液晶表示素子のように、電極に複数の開口部を規則的に設けることにより、その開口部によって規定される領域の液晶分子を軸対称状に配向させる構成では、液晶への電圧印加時に複数の配向方向を混在させて視野角特性を向上させることができる。しかし、液晶分子を軸対称状に配向させた場合には、偏光板に対して液晶分子が様々な方向を向いた状態になるため、液晶表示素子における光の透過率を高くすることが困難であるという問題が生じる。そして、その結果、明るい表示が得られないという問題が生じる。
【０００８】
そこで、本発明は、広い視野角が得られるとともに、光の透過率を高くすることができるＶＡ型の液晶表示素子を提供することを目的とする。
【課題を解決するための手段】
【０００９】
本発明による液晶表示素子は、第１の透明電極（例えば、第１電極３）が配置された第１透明基板（例えば、第１透明基板１）と、第１の透明電極に対向する第２の透明電極（例えば、第２電極４）が配置された第２透明基板（例えば、第２透明基板２）と、第１透明基板と第２透明基板との間に封止され、電圧が印加されていないときに垂直配向となる液晶層（例えば、液晶層５）とを備え、第１の透明電極および第２の透明電極のそれぞれに、十字形の開口部および小片の開口部が格子状に設けられ、第１の透明電極に設けられる十字形の開口部および小片の開口部のパターンと、第２の透明電極に設けられる十字形の開口部および小片の開口部のパターンとが同じであり、十字形の開口部は、十字形の横方向に伸びる部分がそれぞれ直線上に並び、十字形の縦方向に伸びる部分がそれぞれ直線上に並ぶように設けられ、小片の開口部は、十字形の横方向に伸びる部分が並ぶ直線上であって、隣接する十字形の開口部の間の部分、および、十字形の縦方向に伸びる部分が並ぶ直線上であって、隣接する十字形の開口部の間の部分に設けられ、第２の透明電極に設けられる十字形の開口部は、観察者方向から見たときに、第１の透明電極において縦方向および横方向に２つずつ並ぶ４つの十字形の開口部の対向する凹頂点同士を対角の頂点とする正方形の領域（例えば、図２に例示する領域３１。）の中央に位置することを特徴とする。
【００１０】
例えば、小片の開口部の形状は、矩形または円形である。小片の開口部の形状は、多角形や楕円形であってもよいが、四角形以上の正多角形あるいは円形が好ましく、さらに、正方形がより好ましい。
【００１１】
十字形の開口部の凹頂点から当該十字形の開口部の端部までの長さ（十字形の開口部の長さ。図３参照。）が５〜４０μｍの範囲内にあることが好ましい。
【００１２】
また、小片の開口部は、十字形の開口部の中心同士を結ぶ直線上に、当該小片の開口部の中心が位置するように設けられることが好ましい。
【００１３】
第１透明基板における液晶層と反対側の面に第１偏光板（例えば、第１偏光板６）を備え、第２透明基板における液晶層と反対側の面に第２偏光板（例えば、第２偏光板７）を備え、第１偏光板の偏光軸が、十字形の開口部の横方向に伸びる部分、または、縦方向に伸びる部分のいずれかと平行であり、第２偏光板の偏光軸が、第１偏光板の偏光軸と直交することが好ましい。
【００１４】
観察者方向から見たときに、第１の透明電極の十字形の開口部と当該十字形の開口部に最も近い第２の透明電極の十字形の開口部の対向する凹頂点同士を対角の頂点とする正方形の領域であるサブ画素領域（例えば、図４または図９に例示するサブ画素領域３５）の一辺の長さが、２０〜６０μｍの範囲内にあることが好ましい。
【００１５】
十字形の開口部の凹頂点から隣接する十字形の開口部で対応する位置に存在する凹頂点までの距離（例えば、十字形の開口部のピッチ。図３参照。）が、６０〜１４０μｍの範囲内にあることが好ましい。
【００１６】
十字形の開口部の縦方向および横方向に伸びる部分の幅（例えば、十字形の開口部の幅。図３参照。）が、７〜１４μｍの範囲内にあることが好ましい。
【００１７】
第１の透明電極として、複数の列電極を備え、第２の透明電極として、複数の列電極に直交する複数の行電極を備え、各列電極は、個々の画素に該当する領域で開口部の配置が共通であり、各行電極は、個々の画素に該当する領域で開口部の配置が共通である構成であってもよい。
【００１８】
第１の透明電極として、セグメント電極を備え、第２の透明電極として、コモン電極を備え、第１の透明電極および第２の透明電極において、それぞれ、一様な配列になるように開口部が設けられている構成であってもよい。
【発明の効果】
【００１９】
本発明によれば、広い視野角が得られるとともに、光の透過率を高くすることができる。
【図面の簡単な説明】
【００２０】
【図１】本発明の液晶表示素子の構成例を示す模式的断面図。
【図２】第１の実施形態において電極に設けられる開口部の例を示す説明図。
【図３】十字形の開口部の幅等を示す説明図。
【図４】コモン電極およびセグメント電極に設けられた各開口部の位置関係を示す説明図。
【図５】サブ画素領域における液晶分子の配向方向を模式的に示す説明図。
【図６】液晶分子の配向方向と各偏光板の偏光軸との関係の例を示す模式図。
【図７】矩形の開口部を長方形とした場合の例を示す説明図。
【図８】第２の実施形態において電極に設けられる開口部の例を示す説明図。
【図９】コモン電極およびセグメント電極に設けられた十字形の開口部の位置関係を示す説明図。
【図１０】サブ画素領域における液晶分子の配向方向を模式的に示す説明図。
【図１１】実施例１のセグメント電極およびコモン電極の一部を示す拡大図。
【図１２】実施例２のセグメント電極およびコモン電極の一部を示す拡大図。
【図１３】実施例３のセグメント電極およびコモン電極の一部を示す拡大図。
【図１４】比較例１のセグメント電極およびコモン電極の一部を示す拡大図。
【図１５】実施例１〜３および比較例１における偏光顕微鏡観察の結果を示す図。
【図１６】実施例４のセグメント電極およびコモン電極の一部を示す拡大図。
【図１７】実施例５のセグメント電極およびコモン電極の一部を示す拡大図。
【図１８】実施例６のセグメント電極およびコモン電極の一部を示す拡大図。
【図１９】実施例７のセグメント電極およびコモン電極の一部を示す拡大図。
【図２０】実施例８のセグメント電極およびコモン電極の一部を示す拡大図。
【図２１】実施例２のセグメント電極およびコモン電極の一部を示す拡大図。
【発明を実施するための形態】
【００２１】
以下、本発明の実施形態を図面を参照して説明する。
【００２２】
［実施形態１］図１は、本発明の液晶表示素子の構成例を示す模式的断面図である。本発明の液晶表示素子はＶＡ型である。そして、第１電極３が配置された第１透明基板１と、第２電極４が配置された第２透明基板２との間に液晶層５が封止される。第１透明基板１および第２透明基板２を単に透明基板１，２と記す場合がある。また、図示を省略しているが、電圧無印加状態において液晶分子を基板に対して垂直に配向させる配向膜が第１電極上および第２電極上に配置される。
【００２３】
透明基板１，２間に液晶層５を封止するために用いる周辺シール材の図示は省略している。透明基板１，２は、電極３，４同士が液晶層５を挟んで対向するように配置される。液晶層５の液晶分子は、電圧が印加されていないときに垂直配向となる。そして、電圧が印加されると、液晶分子は透明基板１，２に対して水平に配向する。透明基板１，２と平行になったときの液晶分子の配向方向については後述する。
【００２４】
透明基板１，２は、例えば、ガラス基板である。第１電極３および第２電極４は、いずれも透明電極であり、例えば、ＩＴＯ（Indium Tin Oxide）によって形成される。
【００２５】
図１には、セグメント表示型の液晶表示素子が例示されている。そして、第１電極３がセグメント電極であり、第２電極４がコモン電極である場合を例に説明する。
【００２６】
第１透明基板１には、液晶層５と反対側の面に第１偏光板６が設けられる。また、第２透明基板２にも、液晶層５と反対側の面に第２偏光板７が設けられる。偏光板６，７は、互いの吸収軸が直交するように配置される。換言すれば、偏光板６，７は、互いの偏光軸が直交するように配置される。偏光板６，７の配置の詳細については後述する。
【００２７】
なお、図１では、第１偏光板６側の面の方向から画像を観察する場合を例にする。この場合、第２偏光板７側にバックライト（図示略）を配置する。ただし、第１偏光板６側にバックライトを設け、第２偏光板７側の面から画像を観察する構成であってもよい。
【００２８】
セグメント電極（第１電極）３およびコモン電極（第２電極）４には、それぞれ十字形の開口部および小片の開口部が格子状になるように規則的に設けられる。ここでは、小片の開口部として、矩形の開口部を設ける場合を例にして説明する。なお、図１に示す模式的断面図では、セグメント電極３およびコモン電極４における開口部の図示を省略している。
【００２９】
図２は、第１の実施形態において電極に設けられる開口部の例を示す説明図である。図２には、コモン電極４に設けられた十字形の開口部および矩形の開口部が例示されているが、セグメント電極３にもコモン電極４と同じパターンの十字形の開口部および矩形の開口部が設けられる。
【００３０】
十字形の各開口部１１は、十字形の横方向に伸びる部分がそれぞれ直線上に並び、十字形の縦方向に伸びる部分がそれぞれ直線上に並ぶように設けられる。また、十字形の縦、横それぞれに伸びる部分の端部（以下、十字形の端部と記す）１２同士が向き合っている部分に、矩形の開口部１５が設けられる。すなわち、図２に示すように、隣接する十字形の端部１２の間に矩形の開口部１５が設けられる。十字形の各開口部１１の形状および大きさは同一であり、矩形の各開口部１５の形状および大きさも同一である。また、十字形の縦方向に伸びる部分と横方向に伸びる部分とのなす角は直角であることが好ましい。矩形の開口部は、十字形の開口部の横方向に伸びる部分、縦方向に伸びる部分が並ぶ上記直線上に配置される。特に、十字形の開口部の中心同士を結ぶ直線上に矩形の開口部の中心が位置するように矩形の開口部を配置することが好ましい。
【００３１】
図３は、十字形の開口部１１の幅等を示す説明図である。十字形の開口部１１の縦、横に伸びる部分の幅は一定である。そして、十字形の縦に伸びる部分の幅と、横に伸びる部分の幅とは共通である。以下、この幅を、「十字形の開口部の幅」と記す（図３参照）。
【００３２】
矩形の開口部１５において、矩形の一組の対辺は、その矩形に近接する十字形の開口部１１の端部１２と平行になるように設けられる。そして、十字形の開口部１１の端部１２と平行になる矩形の辺の長さは、十字形の開口部１１の幅と等しい。また、開口部１５は正方形の開口部であってもよい。この場合、正方形の各辺の長さが十字形の開口部１１の幅と等しくなるように、開口部１５が設けられる。
【００３３】
矩形の開口部の各辺は、十字形の開口部の横方向に伸びる部分の方向、または、十字形の開口部の縦方向に伸びる部分の方向に平行である。
【００３４】
なお、図２および図３では、十字形の開口部１１同士の間に２つの矩形の開口部１５を設ける場合を示しているが、十字形の開口部１１同士の間に設ける矩形の開口部１５の数は１つであっても、あるいは３つ以上であってもよい。
【００３５】
また、十字形の開口部１１における凹部の頂点（以下、凹頂点と記す。）から、その凹頂点に最も近い十字形の端部までの長さを「十字形の開口部１１の長さ」と記す（図３参照）。十字形の開口部１１の長さは縦方向と横方向とで共通である。また、２つの十字形の開口部間に設けられる矩形の開口部の配置態様は、縦方向と横方向で共通であることが好ましい。すなわち、矩形の開口部の数、形状、開口部の大きさは、縦方向と横方向で同じであることが好ましい。また、後述のサブ画素領域内で液晶分子の配向を均一にするためには、後述のサブ画素領域において対角の頂点となる十字形の開口部の凹頂点同士を結ぶ仮想線を対称にして、矩形の開口部を同一形状、同一配置とすることが好ましい。この仮想線を基準にして対称配置された矩形の開口部によって、サブ画素領域の中心部分だけでなくサブ画素領域の外縁部分においても、仮想線と平行な液晶分子の配向が得られる。
【００３６】
また、十字形の開口部１１における凹頂点から、隣接する十字形の開口部において対応する位置に存在する凹頂点までの距離を「十字形の開口部１１のピッチ」と記す（図３参照）。十字形の開口部１１のピッチは、縦方向と横方向とで共通である。
【００３７】
コモン電極４における十字形および矩形の開口部の並び方と、セグメント電極３における十字形および矩形の開口部の並び方は同一である。そして、十字形の開口部および矩形の開口部の大きさと形状は、コモン電極４とセグメント電極３とで共通である。ただし、コモン電極４およびセグメント電極３の各開口部は、コモン電極４およびセグメント電極３を対向させたときに、十字形の開口部の位置が互いにずれるように設けられる。図２に示すように、十字形の開口部１１および矩形の開口部１５を格子状に規則的に設けることにより、十字形の開口部１１の凹頂点３３を頂点とする正方形の領域３１が形成される。具体的には、正方形の領域３１は、縦方向および横方向に２つずつ並んだ４つの十字形の開口部１１において、対向する凹頂点同士を対角の頂点とする正方形である。コモン電極４に対向するセグメント電極に設けられた十字形の開口部（図２において図示せず。）は、表示の観察者方向から見たときに、この正方形の領域３１内に含まれる。換言すれば、セグメント電極に対向するコモン電極４の十字形の開口部１１は、観察者方向から見たときに、セグメント電極側の十字形の開口部の凹頂点を頂点とする正方形（具体的には、縦方向および横方向に２つずつ並んだ４つの十字形の開口部において、対向する凹頂点同士を対角の頂点とする正方形）の領域に含まれる。
【００３８】
コモン電極４に対向するセグメント電極に設けられた十字形の開口部は、観察者方向から見たときに、正方形の領域３１（図２参照）の中央に存在することが好ましい。この場合、セグメント電極に対向するコモン電極４の十字形の開口部１１は、観察者方向から見たときに、セグメント電極側の十字形の開口部の凹頂点を頂点とする正方形の領域の中央に存在することになる。
【００３９】
図４は、コモン電極４およびセグメント電極３（図１参照）に設けられた各開口部の位置関係を示す説明図である。図４では、コモン電極４およびセグメント電極３を対向させた状態において各開口部を観察者方向から見た場合を模式的に表している。図４において、実線で示した十字形および矩形の開口部はコモン電極４の開口部を表し、破線で示した十字形および矩形の開口部はセグメント電極３の開口部を表す。
【００４０】
コモン電極側の十字形の開口部１１と、その開口部１１に最も近いセグメント電極側の十字形の開口部４１とに着目する。このとき、コモン電極側の十字形の開口部１１の凹頂点のうちの１つと、セグメント電極側の十字形の開口部４１の凹頂点のうちの１つが互いに向き合う。この凹頂点をそれぞれ凹頂点３３ａ，３４ａとする（図４参照）。そして、コモン電極側の開口部１１の凹頂点３３ａと、セグメント電極側の開口部４１の凹頂点３４ａとを対角の頂点とする矩形を定めることができる。以下、この矩形の領域３５を、サブ画素領域と記す。図４では、サブ画素領域３５となる矩形を１つだけ明示しているが、サブ画素領域３５は複数存在する。例えば、コモン電極側における１つの十字形の開口部１１に着目した場合、その開口部１１の周囲に４つのサブ画素領域３５が存在する。セグメント電極側における１つの十字形の開口部４１に着目した場合にも、その開口部４１の周囲に４つのサブ画素領域３５が存在する。
【００４１】
本例では、セグメント電極に設けられた十字形の開口部は、観察者方向から見たときに、図２に例示する正方形の領域３１の中央に存在しているものとする。換言すれば、セグメント電極に対向するコモン電極４の十字形の開口部１１は、観察者方向から見たときに、セグメント電極側の十字形の開口部の凹頂点を頂点とする正方形の領域の中央に存在しているものとする。このとき、サブ画素領域３５となる矩形は正方形となる。このように、サブ画素領域３５となる矩形が正方形となることが好ましい。
【００４２】
本実施形態では、サブ画素領域３５が形成されるように、コモン電極４およびセグメント電極３にそれぞれ十字形および矩形の開口部を設けることで、コモン電極４とセグメント電極３との間の液晶層５（図１参照）に電圧を印加した際、サブ画素領域３５における液晶分子の配向方向を規定する。図５は、液晶層に電圧を印加したときのサブ画素領域３５における液晶分子３８の配向方向を模式的に示す説明図である。１つの十字形の開口部（図５に示す例ではセグメント電極側の十字形の開口部４１）に着目した場合、その開口部４１の周囲の４つのサブ画素領域３５においてそれぞれ、液晶分子３８はほぼ一方向に配向する。具体的には、サブ画素領域において、開口部４１の凹頂点とその対角の頂点とを結ぶ対角線とほぼ同じ方向に配向する。従って、１つの十字形の開口部の周囲では、液晶分子３８はその開口部を中心として４方向に配向する。ここでは、セグメント電極側の十字形の開口部４１に着目した場合を例に説明したが、コモン電極側の十字形の開口部に着目した場合でも、その開口部の周囲では、液晶分子３８はその開口部を中心として４方向に配向する。
【００４３】
なお、開口部と重なる領域の液晶には電圧が印加されず、コモン電極およびセグメント電極間の液晶層に電圧を印加した場合であっても、開口部と重なる領域は光透過状態にならない。
【００４４】
次に、第１偏光板６および第２偏光板７の配置について説明する。第１偏光板６は、第１偏光板６自身の偏光軸が、十字形の各開口部の横方向に伸びる部分、または、縦方向に伸びる部分のいずれかと平行になるように配置される。そして、第２偏光板７は、第２偏光板７自身の偏光軸が第１偏光板６の偏光軸と直交するように配置される。この結果、第２偏光板７の偏光軸は、十字形の各開口部の縦方向に伸びる部分、または、横方向に伸びる部分と平行になる。図６は、液晶層への電圧印加時における液晶分子３８の配向方向と、各偏光板の偏光軸との関係の例を示す模式図である。図６に示す例では、第１偏光板６（図６において図示略）の偏光軸６１が、十字形の開口部の横方向に伸びる部分と平行であり、第２偏光板７（図６において図示略）の偏光軸７１が、十字形の開口部の縦方向に伸びる部分と平行である場合を例示している。上記のように第１偏光板６および第２偏光板７を配置した場合、十字形の開口部の周辺のサブ画素領域における液晶分子３８は、第１偏光板６の偏光軸６１および第２偏光板７の偏光軸７１それぞれに対して、ほぼ４５度をなす方向に配向する。従って、液晶層に対する電圧印加時に、第２偏光板７を通過した直線偏光は、液晶の複屈折性により、第１偏光板６を通過しやすくなる。よって、液晶表示素子の透過率は向上する。
【００４５】
なお、上記のような偏光板６，７の配置は、第１偏光板６を、第１偏光板６自身の吸収軸が、十字形の各開口部の縦方向に伸びる部分、または、横方向に伸びる部分のいずれかと平行になるように配置し、第２偏光板７の吸収軸が第１偏光板６の吸収軸と直交するように第２偏光板７を配置することと同じである。
【００４６】
以下、十字形や矩形の各開口部やサブ画素領域３５の好ましい寸法について説明する。
【００４７】
既に説明したように、矩形の開口部１５において、矩形の一組の対辺は、その矩形に近接する十字形の開口部１１の端部１２と平行になるように設けられる。そして、十字形の開口部１１の端部１２（図３参照）に平行な矩形の開口部１５の辺の長さは、十字形の開口部１１の幅と等しい。ここで、十字形の開口部１１の幅、および、十字形の開口部１１の端部１２（図３参照）に平行な矩形の開口部１５の辺の長さは、７〜１４μｍの範囲内に設定されていることが好ましい。十字形の開口部１１の幅、および、十字形の開口部１１の端部１２に平行な矩形の開口部１５の辺の長さが７μｍ未満である場合、各開口部により生じる斜め電界の影響が小さくなり、図５に示すような電圧印加時の液晶分子の配向状態を得にくくなるためである。また、十字形の開口部１１の幅、および、十字形の開口部１１の端部１２に平行な矩形の開口部１５の辺の長さが１４μｍよりも長いと、開口部の面積が大きくなり（すなわち、点灯しない部分の面積が増加し）、光透過率が低下するためである。
【００４８】
また、矩形の開口部１５は、例えば、正方形であるが、長方形であってもよい。開口部１５を長方形とする場合の例を図７に示す。この場合、十字形の開口部１１の端部１２に対して平行となる開口部１５の一対の辺を短辺とし、もう一対の辺を長辺とすればよい。図７に示すように開口部１５を長方形とした場合、その短辺の長さをａとし、長辺の長さをｂとする。このとき、ｂ／ａが１〜１．４の範囲内になるように開口部１５の長辺の長さｂを定めることが好ましい。ｂ／ａが１．４よりも大きいと、液晶層に電圧を印加するときに、個々のサブ画素領域３５内において液晶分子の配向方向をほぼ一方向に揃えることが困難になるためである。特に、サブ画素領域３５内で、長方形の開口部１５付近の液晶分子の配向方向が乱れやすくなる。その結果、液晶層に電圧を印加するときの液晶表示素子の光の透過率が低下し、液晶層に電圧を印加しないときの液晶表示素子の光の透過率が高くなり、コントラスト比が低下する。よって、ｂ／ａは１〜１．４の範囲内にあることが好ましい。
【００４９】
また、第１の実施形態では、十字形の開口部の長さ（図３参照）は５〜４０μｍの範囲内の長さであることが好ましく、特に、５〜３０μｍの範囲内にあることが好ましい。十字形の開口部の長さが５μｍ未満である場合、開口部により生じる斜め電界の影響が小さくなり、図５に示すような電圧印加時の液晶分子の配向状態を得にくくなるためである。また、十字形の開口部の長さが４０μｍより長いと、開口部の面積が大きくなり、点灯しない部分の面積が増加するため、光透過率が低下するためである。また、液晶表示素子がドットマトリクス型の液晶表示素子であり、高いデューティ比で駆動する場合に、十字形の開口部の長さが４０μｍより長いと、電圧を印加しない場合の透過率が高くなり、コントラスト比が低下する。よって、液晶表示素子がセグメント表示型であっても、ドットマトリクス型であっても、十字形の開口部の長さを４０μｍ以下とすることが好ましい。
【００５０】
また、サブ画素領域３５（図４参照）は正方形であることが好ましく、また、サブ画素領域３５の一辺の長さが２０〜６０μｍの範囲内に設定されていることが好ましい。サブ画素領域３５の一辺の長さが２０μｍ未満であると、電極パターニングの影響を受け、サブ画素領域３５内での液晶分子の配向状態にばらつきが生じるためである。また、サブ画素領域３５に比べて相対的に開口部の占める割合が大きくなり、光の透過率が低下するためである。また、サブ画素領域３５の一辺の長さが６０μｍより大きいと、液晶層に電圧を印加したときのサブ画素領域３５内での液晶分子の配向方向を一方向に揃えにくくなるためである。また、サブ画素領域３５の面積が大きくなると、表示された画像が粗く見えたり、応答速度が遅くなったりするためである。
【００５１】
また、十字形の開口部のピッチは、６０〜１４０μｍの範囲内に設定されていることが好ましい。十字形の開口部のピッチが６０μｍ未満であると、電極パターニングの影響を受け、サブ画素領域３５内での液晶分子の配向状態にばらつきが生じるためである。また、サブ画素領域３５に比べて相対的に開口部の占める割合が大きくなり、光の透過率が低下するためである。また、十字形の開口部のピッチが１４０μｍより大きいと、開口部により生じる斜め電界の影響が小さくなり、サブ画素領域３５内での液晶分子の配向方向を一方向に揃えにくくなるためである。また、十字形の開口部のピッチが大きいと、表示された画像が粗く見えたり、応答速度が遅くなったりするためである。
【００５２】
本実施形態において、コモン電極４には、前述の十字形の開口部１１および矩形の開口部１５を規則的に設ければよい。換言すれば、コモン電極４全体に十字形の開口部１１および矩形の開口部１５が一様な配列となるように各開口部を設ければよい。また、セグメント電極３の形状は、表示したい内容に応じて予め定められている。所望の形状のセグメント電極３を形成する場合には、例えば、そのセグメント電極３を抜き出す前の大きな透明電極板に、前述の十字形の開口部および矩形の開口部を規則的に設け、その透明電極板から所望の形状のセグメント電極を抜き出せばよい。セグメント電極３が複数存在する場合にも、前述の十字形の開口部および矩形の開口部を規則的に設けた大きな透明電極から複数のセグメント電極３を抜き出せばよい。この場合、個々のセグメント電極３全体に十字形の開口部および矩形の開口部が一様な配列で設けられる。このようにセグメント電極３を作成すれば、開口部の形成に用いるフォト版の設計を早く終えることができる点で好ましい。
【００５３】
このような液晶表示素子では、第１電極３および第２電極４（上記の例では、セグメント電極およびコモン電極）の間の液晶層に電圧を印加していない場合、その液晶層の液晶分子は垂直配向となる。すると、第２偏光板７を通過したバックライトの光は第１偏光板６に達し、第１偏光板６で吸収される。従って、バックライトの光は液晶表示素子を通過せず、黒色表示となる。
【００５４】
また、第１電極３および第２電極４の間の液晶層に電圧を印加した場合、その液晶層の液晶分子は透明基板１，２（図１参照）に対して平行になる。このとき、既に説明したように、各液晶分子は、第１電極３および第２電極４の十字形の各開口部の周囲において、開口部を中心として４方向に配向する（図５参照）。すなわち、十字形の開口部の周囲の４つのサブ画素領域では、その開口部の凹頂点とその対角の頂点とを結ぶ対角線の方向に液晶分子が配向する。十字形の各開口部の周囲では、液晶分子が開口部を中心として４方向に配向するため、広い視野角を実現することができる。
【００５５】
また、十字形の開口部の周辺のサブ画素領域における液晶分子は、第１偏光板６の偏光軸６１および第２偏光板７の偏光軸７１に対して、それぞれほぼ４５度をなす方向に配向した状態になる（図６参照）。従って、第２偏光板７を通過した直線偏光は、液晶の複屈折性により、第１偏光板６を通過しやすくなり、液晶表示素子の透過率は向上する。その結果、明るい表示が得られる。
【００５６】
本発明と、特許文献３，４に記載された発明とを比較すると、特許文献３，４に記載された発明では、液晶分子が放射状に均一に配向するので、各偏光板の偏光軸との間の角度がほぼ４５度になっていない液晶分子も多数存在することになる。一方、本発明では、各偏光板の偏光軸と液晶分子の配向方向とのなす角度はほぼ４５度であるので、液晶表示素子の透過率が向上する。
【００５７】
このように本発明によれば、広い視野角が得られるとともに、光の透過率を高くすることができる。
【００５８】
また、本実施形態において、第１電極３として、複数の列電極を配置し、第２電極４として、列電極に直交する複数の行電極を配置してもよい。この場合、液晶表示素子は、ドットマトリクス表示型の液晶表示素子となる。この場合にも、各第１電極３（ここでは、列電極３と記す。）および各第２電極４（ここでは、行電極４と記す。）に、前述と同様の十字形の開口部および矩形の開口部を規則的に設け、列電極３の十字形の開口部と、行電極４の十字形の開口部と位置とがずれるようにすればよい。
【００５９】
ただし、各画素（列電極３と行電極４とが交差する領域）における表示状態を均一にするため、ドットマトリクス表示型の液晶表示素子では、各列電極３において、十字形および矩形の開口部の配置が、個々の画素に該当する領域で共通になるようにする。同様に、各行電極４においても、十字形および矩形の開口部の配置が、個々の画素に該当する領域で共通になるようにする。この場合、例えば、列電極における１つの画素に該当する領域の開口部の配置を決定した後、全列電極の各画素に該当する領域の開口部の配置も全て共通にする。同様に、行電極における１つの画素に該当する領域の開口部の配置を決定した後、全行電極の各画素に該当する領域の開口部の配置も全て共通にする。なお、各行電極および各列電極において、線間に該当する部分には、開口部が設けられていなくてもよい。また、画素に該当する領域の開口部を形成する際、画素に該当する領域の端部の開口部が線間に該当する部分まで跨ってもよい。
【００６０】
仮に、十字形の開口部および矩形の開口部を規則的に設けた大きな透明電極版から、各列電極や各行電極を抜き出して、各列電極と各行電極とを直交するように配置した場合、各画素（列電極３と行電極４とが交差する領域）において、開口部および矩形の開口部の配置状況が異なる。すると、各画素の表示が均一にならない。そのため、ドットマトリクス表示型の液晶表示素子を実現する場合には、全列電極の各画素に該当する領域において、十字形の開口部および矩形の開口部の位置をそれぞれ共通とし、同様に、全行電極の各画素に該当する領域において、十字形の開口部および矩形の開口部の位置をそれぞれ共通とすることが好ましい。
【００６１】
次に、第１の実施形態の変形例について説明する。上記の第１の実施形態では、第１電極３および第２電極４に対してそれぞれ、十字形の開口部および矩形の開口部を格子状に規則的に設ける場合を示した。小片の開口部として、矩形の開口部の代わりに円形の開口部を設けてもよい。すなわち、第１電極３および第２電極４に対してそれぞれ、十字形の開口部および円形の開口部を格子状に規則的に設けてもよい。矩形の開口部の代わりに円形の開口部を設ける点の他は、前述の第１の実施形態と同様である。このような変形例においても、第１の実施形態と同様の配向状態を実現することができ、広い視野角が得られるとともに、光の透過率を高くすることができる。
【００６２】
ただし、円形の開口部の直径は７〜１４μｍの範囲内にあることが好ましい。円形の開口部の直径が７μｍ未満である場合、各開口部により生じる斜め電界の影響が小さくなり、図５に示す場合と同様の液晶分子の配向状態を得にくくなるためである。また、円形の開口部の直径が１４μｍよりも長いと、開口部の面積が大きくなり、点灯しない部分の面積が増加するため、光透過率が低下するためである。また、十字形の開口部の中心同士を結ぶ直線上に円形の開口部の中心が位置するように円形の開口部を配置することが好ましい。
【００６３】
さらに他の変形例としては、小片の開口部として、円形の開口部の代わりに四角形以上の多角形の開口部を設けてもよい。この場合、多角形を正多角形としてもよい。正多角形の開口部を設ける場合、正多角形の１つの辺がサブ画素領域の辺に沿うように開口部を設けることが好ましい。また、円形の開口部の代わりに楕円形の開口部を設けてもよい。
【００６４】
また、隣接する十字形の開口部間に配置する小片の開口部の数を３以上とする場合、小片の開口部の形状はどのような形状であってもよい。なお、最も好ましい配置形態は、隣接する十字形の開口部間に配置する小片の開口部の数を１または２とし、小片の開口部の形状を正方形とすることである。
【００６５】
［実施形態２］第２の実施形態の液晶表示素子は、第１電極および第２電極に設ける開口部の態様の他は、第１の実施形態と同様である。第２の実施形態の液晶表示素子の模式的断面図も図１と同様であり、以下、適宜図１を参照して説明する。また、ここでは、セグメント表示型の液晶表示素子を例にして説明する。そして、第１電極３がセグメント電極であり、第２電極４がコモン電極であるものとする。
【００６６】
セグメント電極（第１電極）３およびコモン電極（第２電極）４には、それぞれ十字形の開口部が格子状になるように規則的に設けられる。図８は、第２の実施形態において電極に設けられる開口部の例を示す説明図である。図８では、コモン電極４に設けられた開口部を例示しているが、セグメント電極３にもコモン電極４と同じパターンの開口部が設けられる。第２の実施形態は、十字形の開口部１１同士の間に矩形の開口部が設けられない点で、第１の実施形態と異なる。
【００６７】
十字形の各開口部１１は、十字形の横方向に伸びる部分がそれぞれ直線上に並び、十字形の縦方向に伸びる部分がそれぞれ直線上に並ぶように設けられる。十字形の各開口部１１の形状および大きさは同一である。
【００６８】
十字形の開口部１１の縦、横に伸びる部分の幅（十字形の開口部１１の幅）は一定である。また、十字形の開口部の幅は、縦方向と横方向とで共通である。
【００６９】
また、十字形の開口部１１の長さ（すなわち、十字形の開口部１１における凹頂点から、その凹頂点に最も近い十字形の端部までの長さ）も、縦方向と横方向とで共通である。
【００７０】
また、十字形の開口部１１のピッチ（すなわち、十字形の開口部１１における凹頂点から、隣接する十字形の開口部において対応する位置に存在する凹頂点までの距離）も、縦方向と横方向とで共通である。
【００７１】
コモン電極４における十字形の開口部の並び方と、セグメント電極３（図１参照）における十字形の開口部の並び方は同一である。そして、十字形の開口部の大きさおよび形状は、コモン電極４とセグメント電極３とで共通である。ただし、コモン電極４およびセグメント電極３の十字形の各開口部は、コモン電極４およびセグメント電極３を対向させたときに、互いの位置がずれるように設けられる。図８に示すように、十字形の開口部１１を格子状に規則的に設けることにより、十字形の開口部１１の凹頂点３３を頂点とする正方形の領域３１が形成される。正方形の領域３１は、縦方向および横方向に２つずつ並んだ４つの十字形の開口部１１において、対向する凹頂点同士を対角の頂点とする正方形である。コモン電極４に対向するセグメント電極に設けられた十字形の開口部（図８において図示せず。）は、観察者方向から見たときに、この正方形の領域３１内に含まれる。換言すれば、セグメント電極に対向するコモン電極４の十字形の開口部１１は、観察者方向から見たときに、セグメント電極側の十字形の開口部の凹頂点を頂点とする正方形（具体的には、縦方向および横方向に２つずつ並んだ４つの十字形の開口部において、対向する凹頂点同士を対角の頂点とする正方形）の領域に含まれる。
【００７２】
コモン電極４に対向するセグメント電極に設けられた十字形の開口部は、観察者方向から見たときに、正方形の領域３１（図８参照）の中央に存在することが好ましい。この場合、セグメント電極に対向するコモン電極４の十字形の開口部１１は、観察者方向から見たときに、セグメント電極側の十字形の開口部の凹頂点を頂点とする正方形の領域の中央に存在することになる。この点は、第１の実施形態と同様である。
【００７３】
図９は、コモン電極４およびセグメント電極３（図１参照）に設けられた十字形の開口部の位置関係を示す説明図である。図９では、コモン電極４およびセグメント電極３を対向させた状態において十字形の各開口部を観察者方向から見た場合を模式的に表している。図９において、実線で示した十字形の開口部はコモン電極４の開口部を表し、破線で示した十字形の開口部はセグメント電極３の開口部を表す。
【００７４】
第２の実施形態においても、コモン電極側の十字形の開口部１１と、その開口部１１に最も近いセグメント電極側の十字形の開口部４１とに着目した場合、コモン電極側の十字形の開口部１１の凹頂点のうちの１つと、セグメント電極側の十字形の開口部４１の凹頂点のうちの１つが互いに向き合う。この凹頂点をそれぞれ凹頂点３３ａ，３４ａとする（図９参照）。そして、コモン電極側の開口部１１の凹頂点３３ａと、セグメント電極側の開口部４１の凹頂点３４ａとを対角の頂点とする矩形の領域であるサブ画素領域を定めることができる。図９では、サブ画素領域３５となる矩形を１つだけ明示しているが、コモン電極側における１つの十字形の開口部１１に着目した場合、その開口部１１の周囲に４つのサブ画素領域３５が存在する。同様に、セグメント電極側における１つの十字形の開口部４１に着目した場合にも、その開口部４１の周囲に４つのサブ画素領域３５が存在する。
【００７５】
本例では、セグメント電極に設けられた十字形の開口部は、観察者方向から見たときに、図８に例示する正方形の領域３１の中央に存在しているものとする。換言すれば、セグメント電極に対向するコモン電極４の十字形の開口部１１は、観察者方向から見たときに、セグメント電極側の十字形の開口部の凹頂点を頂点とする正方形の領域の中央に存在しているものとする。このとき、サブ画素領域３５となる矩形は正方形となる。第１の実施形態と同様に、サブ画素領域３５となる矩形が正方形となることが好ましい。
【００７６】
本実施形態では、図９に例示するサブ画素領域３５が形成されるように、コモン電極４およびセグメント電極３にそれぞれ十字形の開口部を設けることで、コモン電極４とセグメント電極３との間の液晶層５（図１参照）に電圧を印加した際、サブ画素領域３５における液晶分子の配向方向を規定する。図１０は、液晶層に電圧を印加したときのサブ画素領域３５における液晶分子３８の配向方向を模式的に示す説明図である。１つの十字形の開口部（図１０に示す例ではセグメント電極側の十字形の開口部４１）に着目した場合、その開口部４１の周囲の４つのサブ画素領域３５においてそれぞれ、液晶分子３８はほぼ一方向に配向する。サブ画素領域３５における液晶分子３８の配向態様は、第１の実施形態と同様である。すなわち、１つの十字形の開口部の周囲では、液晶分子３８はその開口部の重心を中心として４方向に配向する。換言すると、１つの十字形の開口部の周囲に４つの異なるドメイン領域を形成している。この４つのドメイン領域によって、視野角を広くすることができるとともに、偏光板との配置関係で光の透過率も高くなる。
【００７７】
第１偏光板６および第２偏光板７の配置は、第１の実施形態と同様である。すなわち、第１偏光板６は、第１偏光板６自身の偏光軸が、十字形の各開口部の横方向に伸びる部分、または、縦方向に伸びる部分のいずれかと平行になるように配置される。そして、第２偏光板７は、第２偏光板７自身の偏光軸が第１偏光板６の偏光軸と直交するように配置される。この結果、十字形の開口部の周辺のサブ画素領域における液晶分子は、図６に示す例と同様に、第１偏光板６の偏光軸６１および第２偏光板７の偏光軸７１それぞれに対して、ほぼ４５度をなす方向に配向する。よって、第１の実施形態と同様に、液晶表示素子の透過率が向上する。
【００７８】
サブ画素領域３５の一辺の長さをｋ［μｍ］とする。第２の実施形態では、十字形の開口部の長さは、（ｋ／２）〜ｋ［μｍ］の範囲内に設定されていることが好ましく、特に、｛（２・ｋ）／３｝〜ｋ［μｍ］の範囲内にあることが好ましい。十字形の開口部の長さがｋ／２［μｍ］未満であると、各開口部により生じる斜め電界の影響が小さくなり、図１０に示すような電圧印加時の液晶分子の配向状態を得にくくなるためである。また、十字形の開口部の長さがｋ［μｍ］よりも長いと、開口部の面積が大きくなり（すなわち、点灯しない部分の面積が増加し）、光透過率が低下するためである。また、電極内で断線する可能性が高くなるためである。
【００７９】
また、十字形の開口部のピッチは、第１の実施形態と同様に、６０〜１４０μｍの範囲内に設定されていることが好ましい。また、サブ画素領域３５は正方形であることが好ましく、サブ画素領域３５の一辺の長さが２０〜６０μｍの範囲内にあることが好ましい。十字形の開口部のピッチをｐ［μｍ］とすると、十字形の開口部の長さは、｛（ｐ−２０）／４｝〜｛（ｐ−２０）／２｝μｍの範囲内に設定されていることが好ましく、特に、｛（ｐ−２０）／３｝〜｛（ｐ−２０）／２｝μｍの範囲内にあることが好ましい。ただし、サブ画素領域３５の一辺の長さｋが２０〜６０μｍの範囲内にあり、十字形の開口部の長さが（ｋ／２）〜ｋ［μｍ］の範囲内にあるという条件を満たしているものとする。
【００８０】
十字形の開口部の幅は、第１の実施形態と同様に、７〜１４μｍの範囲内に設定されていることが好ましい。
【００８１】
第２の実施形態においても、第１電極３および第２電極４（上記の例では、セグメント電極およびコモン電極）の間の液晶層に電圧を印加していない場合、その液晶層の液晶分子は垂直配向となる。すると、第２偏光板７を通過したバックライトの光は第１偏光板６に達し、第１偏光板６で吸収される。従って、バックライトの光は液晶表示素子を通過せず、黒色表示となる。
【００８２】
また、第１電極３および第２電極４の間の液晶層に電圧を印加した場合、その液晶層の液晶分子は透明基板１，２（図１参照）に対して平行になる。このとき、各液晶分子は、第１電極３および第２電極４の十字形の各開口部の周囲において、開口部を中心として４方向に配向する（図１０参照）。よって、第１の実施形態と同様に、広い視野角を実現することができる。
【００８３】
また、図６に示す例と同様に、十字形の開口部の周辺のサブ画素領域における液晶分子は、第１偏光板６の偏光軸６１および第２偏光板７の偏光軸７１それぞれに対して、ほぼ４５度をなす方向に配向した状態になる。従って、第２偏光板７を通過した直線偏光は、液晶の複屈折性により、第１偏光板６を通過しやすくなり、液晶表示素子の透過率は向上する。その結果、明るい表示が得られる。
【００８４】
このように第２の実施形態においても、広い視野角が得られるとともに、光の透過率を高くすることができる。
【００８５】
第２の実施形態においても、液晶表示素子をセグメント表示型にする場合には、セグメント電極３を抜き出す前の大きな透明電極板に、前述の十字形の開口部を規則的に設け、その透明電極板から所望の形状のセグメント電極を抜き出せばよい。この場合、個々のセグメント電極３全体に十字形の開口部が一様な配列で設けられる。また、コモン電極４に関しても、コモン電極４全体で一様な配列となるように十字形の開口部１１を設ければよい。
【００８６】
第２の実施形態において、液晶表示素子をドットマトリクス表示型としてもよい。この場合、第１電極３として、複数の列電極を配置し、第２電極４として、列電極に直交する複数の行電極を配置すればよい。ドットマトリクス表示型の液晶表示素子とする場合には、全列電極の各画素に該当する領域において、十字形の開口部の位置をそれぞれ共通とし、全行電極の各画素に該当する領域において、十字形の開口部の位置をそれぞれ共通とすることが好ましい。このようにすることで、各画素における表示状態を均一にすることができる。
【００８７】
なお、第１、第２の実施形態において、液晶表示素子に、ＶＡ型液晶表示素子用の光学補償フィルムとして使用されるＣプレートや２軸フィルムを設けてもよい。
【００８８】
また、各実施形態において、ドットマトリクス型の液晶表示素子を実現する場合、第１電極３として、複数の行電極を配置し、第２電極４として、行電極に直交する複数の列電極を配置してもよい。
【００８９】
上記の各実施形態は、アクティブマトリクス型の液晶表示素子にも適用可能である。例えば、ＴＦＴ（Thin Film Transistor）液晶表示素子の各画素電極に、第１または第２の実施形態における第１電極３と同様の開口部を設け、ＴＦＴ液晶表示素子のコモン電極に、第１または第２の実施形態における第２電極４と同様の開口部を設けてもよい。あるいは、各画素電極に第２電極４と同様の開口部を設け、コモン電極に第１電極３と同様の開口部を設けてもよい。
【実施例１】
【００９０】
実施例１および後述の実施例２，３は、第１の実施形態の液晶表示素子をセグメント表示型の液晶表示素子として実現した実施例である。
【００９１】
図１１（ａ）は、実施例１のセグメント電極の一部を示す拡大図である。図１１（ｂ）は、実施例１のコモン電極の一部を示す拡大図である。セグメント電極およびコモン電極にそれぞれ十字形の開口部および正方形の開口部が格子状に形成されるように、第１透明基板１（図１参照）上にセグメント電極をパターニングし、第２透明基板２（図１参照）上にコモン電極をパターニングした。十字形の開口部の形状および大きさは、セグメント電極およびコモン電極で共通である。十字形の開口部の長さを１０μｍとした。十字形の開口部の幅および正方形の開口部の一辺の長さを１０μｍとした。十字形の開口部のピッチを６０μｍとした。実施例１では、隣接する十字形の開口部の間の中央に、正方形の開口部を１つ設ける（図１１参照）。
【００９２】
また、十字形の各開口部の横方向に伸びる部分が、液晶表示素子の長辺と平行になるようにした。
【００９３】
また、パターニングの際、セグメント電極およびコモン電極を対向させたときに、セグメント電極の十字形の開口部とコモン電極の十字形の開口部とが縦方向および横方向に３０μｍずれるようにした。この場合、サブ画素領域は、一辺の長さが２０μｍの正方形となる。
【００９４】
次に、第１透明基板１および第２透明基板２の液晶層側の面に、垂直性の配向膜を成膜し、リタデーションΔｎ・ｄを４６９ｎｍにした。また、液晶材料として、誘電異方性（Δε）が−４．４のものを用い、第１透明基板および第２透明基板の間に液晶層５（図１参照）を封止した。
【００９５】
液晶表示素子の長辺方向を基準軸として、観察者方向から見たときの基準軸から第１偏光板６（図１参照）の吸収軸までの反時計回りの角度をθ１とした場合、θ１＝０°となるように、第１偏光板６を配置した。なお、各実施例では、第１偏光板６を観察者側の偏光板とした。また、基準軸から第２偏光板７（図１参照）の吸収軸までの反時計回りの角度をθ２とした場合、θ２＝９０°となるように第２偏光板７を配置した。
【００９６】
なお、基準軸から第１偏光板６の偏光軸までの反時計回りの角度をθ１’とした場合、θ１’＝０°となるように第１偏光板６を配置してもよい。このとき、基準軸から第２偏光板７の偏光軸までの反時計回りの角度をθ２’とすると、θ２’＝９０°となるように第２偏光板６を配置すればよい。
【００９７】
なお、第１偏光板６として、株式会社ポラテクノ製のＳＨＣ−１３ＵＬ２ＳＺ９を用いた。そして、第２偏光板７として、株式会社ポラテクノ製の０００Ｒ２２０Ｎ−ＳＨ３８Ｌ２Ｓ（Ｒｅ≦７ｎｍ，Ｒｔｈ＝２２０ｎｍの光学補償フィルム付偏光板）を用いた。
【００９８】
上記のように作成した液晶表示素子をデューティ比１／４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【実施例２】
【００９９】
図１２（ａ）は、実施例２のセグメント電極の一部を示す拡大図である。図１２（ｂ）は、実施例２のコモン電極の一部を示す拡大図である。セグメント電極およびコモン電極にそれぞれ十字形の開口部および正方形の開口部が格子状に形成されるように、第１透明基板１（図１参照）上にセグメント電極をパターニングし、第２透明基板２（図１参照）上にコモン電極をパターニングした。十字形の開口部の形状および大きさは、セグメント電極およびコモン電極で共通である。十字形の開口部の長さを１０μｍとした。十字形の開口部の幅および正方形の開口部の一辺の長さを１０μｍとした。十字形の開口部のピッチを８０μｍとした。実施例２では、隣接する十字形の開口部の間に、正方形の開口部を均等間隔になるように２つ設ける（図１２参照）。
【０１００】
また、十字形の各開口部の横方向に伸びる部分が、液晶表示素子の長辺と平行になるようにした。
【０１０１】
また、パターニングの際、セグメント電極およびコモン電極を対向させたときに、セグメント電極の十字形の開口部とコモン電極の十字形の開口部とが縦方向および横方向に４０μｍずれるようにした。この場合、サブ画素領域は、一辺の長さが３０μｍの正方形となる。
【０１０２】
他の点に関しては、実施例１と同様に液晶表示素子を作製した。この液晶表示素子をデューティ比１／４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【実施例３】
【０１０３】
図１３（ａ）は、実施例３のセグメント電極の一部を示す拡大図である。図１３（ｂ）は、実施例３のコモン電極の一部を示す拡大図である。セグメント電極およびコモン電極にそれぞれ十字形の開口部および正方形の開口部が格子状に形成されるように、第１透明基板１（図１参照）上にセグメント電極をパターニングし、第２透明基板２（図１参照）上にコモン電極をパターニングした。十字形の開口部の形状および大きさは、セグメント電極およびコモン電極で共通である。十字形の開口部の長さを１０μｍとした。十字形の開口部の幅および正方形の開口部の一辺の長さを１０μｍとした。十字形の開口部のピッチを１００μｍとした。実施例３では、隣接する十字形の開口部の間に、正方形の開口部を均等間隔になるように３つ設ける（図１３参照）。
【０１０４】
また、十字形の各開口部の横方向に伸びる部分が、液晶表示素子の長辺と平行になるようにした。
【０１０５】
また、パターニングの際、セグメント電極およびコモン電極を対向させたときに、セグメント電極の十字形の開口部とコモン電極の十字形の開口部とが縦方向および横方向に５０μｍずれるようにした。この場合、サブ画素領域は、一辺の長さが４０μｍの正方形となる。
【０１０６】
他の点に関しては、実施例１，２と同様に液晶表示素子を作製した。この液晶表示素子をデューティ比１／４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【０１０７】
［比較例１］
図１４（ａ）は、比較例１のセグメント電極の一部を示す拡大図である。図１４（ｂ）は、比較例１のコモン電極の一部を示す拡大図である。比較例１では、セグメント電極およびコモン電極にそれぞれ、正方形の開口部のみが格子状に形成されるように、第１透明基板１（図１参照）上にセグメント電極をパターニングし、第２透明基板２（図１参照）上にコモン電極をパターニングした。すなわち、比較例１では、十字形の開口部を設けずに、正方形の開口部を縦方向および横方向に規則的に設けた。セグメント電極およびコモン電極において、正方形の開口部の一辺の長さを１０μｍとした。正方形の開口部の列および行の交差部同士の距離を８０μｍとした。比較例１では、１つの交差部に存在する開口部から、次の交差部に存在する開口部までの間に、３つの開口部が存在する（図１４参照）。
【０１０８】
また、正方形の各開口部の一対の辺が、液晶表示素子の長辺と平行になり、また、正方形の開口部の行も、液晶表示素子の長辺と平行になるようにした。
【０１０９】
また、セグメント電極およびコモン電極を対向させたときに、セグメント電極側における行および列の交差部に存在する開口部と、コモン電極側における行および列の交差部に存在する開口部とが、縦方向および横方向に４０μｍずれるようにした。また、セグメント電極およびコモン電極を対向させた状態で、観察者方向から見ると、セグメント電極側における行および列の交差部に存在する開口部の頂点と、コモン電極側における行および列の交差部に存在する開口部の頂点とを対角の頂点とする正方形を想定することができる。この正方形の一辺の長さは、３０μｍである。
【０１１０】
他の点に関しては、実施例１〜３と同様に液晶表示素子を作製した。この液晶表示素子をデューティ比１／４で駆動したところ、電源をオンとして液晶に電圧を印加した場合に明るさのむら等が観察された。また、実施例２に比べて透過率が低く、視認性が低下していた。この結果から、本発明のように４つの異なる方向にドメイン領域を形成するためには、十字形の開口部の凹部の頂点（凹頂点）が必要であることがわかる。互いに対向する電極に形成された十字形の凹頂点同士を結ぶ線の方向（サブ画素領域の対角線方向）に液晶分子が配列するためには、十字形開口部において凹頂点を挟む２つの辺が必要であり、この辺が、液晶分子を、サブ画素領域の対角線方向に配列するように規制していると考えられる。そして、比較例１のように矩形の開口部だけを設けただけでは、液晶分子に対する配向規制力が弱いと推定される。
【０１１１】
図１５は、セグメント電極およびコモン電極によって液晶層に電圧を印加した状態で、セグメント電極とコモン電極とが対向する領域に対して偏光顕微鏡観察を行った結果を示す。図１５（ａ）〜（ｃ）は、それぞれ実施例１〜３の偏光顕微鏡観察の結果である。図１５（ａ）〜（ｃ）に示す観察結果から、図５を参照して説明したように、十字形の開口部の周囲の４つのサブ画素領域で、その開口部の凹頂点とその対角の凹頂点とを結ぶ対角線の方向に液晶分子が配向していることがわかる。また、液晶分子が十字形の開口部を中心として４方向に配向していることがわかる。このため、実施例１〜３では、広い視野角と高い透過率を実現できている。なお、サブ画素領域のサイズが大きいほど、あるいは、十字形の開口部のピッチが大きいほど、表示が粗く見え、応答速度が遅くなる傾向があった。
【０１１２】
図１５（ｄ）は、比較例１において、電圧印加開始後、時間が経過したときの偏光顕微鏡観察の結果である。比較例１では、電圧印加開始直後には実施例２（図１５（ｂ）参照）と同様の観察結果が得られるが、その後、徐々に、サブ画素領域毎に液晶分子の配向状態にばらつきが生じるようになる（図１５（ｄ）参照）。このことから、十字形の開口部を設けることで、液晶分子の配向状態の安定性が得られていると考えられる。
【実施例４】
【０１１３】
実施例４および後述の実施例５〜７は、第１の実施形態の液晶表示素子をドットマトリクス側の液晶表示素子として実現した実施例である。
【０１１４】
図１６（ａ）は、実施例４の列電極（第１電極）の一部を示す拡大図である。図１６（ｂ）は、実施例４の行電極（第２電極）の一部を示す拡大図である。ドットマトリクス側の液晶表示素子では、複数の列電極と複数の行電極とが直交するように配置され、列電極と行電極との交差する領域が画素となる。各列電極や各行電極は、細長い長方形であるが、図１６（ａ）では、１本の列電極における画素に該当する部分のみを示している。具体的には、１行目の行電極との交差部分と、２４行目（本例では最終行）の行電極との交差部分とを示している。また、図１６（ｂ）では、１本の行電極の画素に該当する部分のみを示している。具体的には、列電極との交差部分のみを示している。この点は、後述の図１７から図２１においても同様である。
【０１１５】
実施例４では、各列電極における個々の画素に該当する領域および各行電極における個々の画素に該当する領域にそれぞれ十字形の開口部および正方形の開口部が格子状に形成されるように、第１透明基板１（図１参照）上に複数の列電極をパターニングし、第２透明基板２（図１参照）上に複数の行電極をパターニングした。このとき、全列電極の各画素に該当する領域において、十字形の開口部および正方形の開口部の位置をそれぞれ共通とした。同様に、全行電極の各画素に該当する領域において、十字形の開口部および正方形の開口部の位置をそれぞれ共通とした。上記のように開口部を設けたので、線間に該当する部分と画素に該当する部分とで一様に開口部が設けられるわけではない。なお、画素に該当する領域の端部の開口部が線間に該当する部分に跨ってもよい。この点は、後述の実施例５〜８でも同様である。
【０１１６】
画素の大きさは、３４０×３４０μｍとし、線間を１０μｍとした。後述の実施例５〜８でも同様である。
【０１１７】
画素に該当する領域に設ける十字形の開口部の形状および大きさは、列電極および行電極で共通である。十字形の開口部の長さを１０μｍとした。十字形の開口部の幅および正方形の開口部の一辺の長さを１０μｍとした。十字形の開口部のピッチを８０μｍとした。実施例４では、隣接する十字形の開口部の間に、正方形の開口部を均等間隔になるように２つ設ける（図１６参照）。
【０１１８】
また、行電極の方向が、液晶表示素子の長辺と平行になるようにした。この点は、後述の実施例６〜８でも同様である。
【０１１９】
また、パターニングの際、列電極および行電極を対向させたときに、行電極側の十字形の開口部が、列電極側の十字形の開口部の凹頂点を頂点とする正方形の領域の中央に存在するようにした。この場合、サブ画素領域は、一辺の長さが３０μｍの正方形となる。
【０１２０】
次に、第１透明基板１および第２透明基板２の液晶層側の面に、垂直性の配向膜を成膜し、リタデーションΔｎ・ｄを８１０ｎｍにした。また、液晶材料として、誘電異方性（Δε）が−２．７のものを用い、第１透明基板および第２透明基板の間に液晶層５（図１参照）を封止した。
【０１２１】
液晶表示素子の長辺方向を基準軸として、観察者方向から見たときの基準軸から第１偏光板６（図１参照）の吸収軸までの反時計回りの角度をθ１とした場合、θ１＝０°となるように、第１偏光板６を配置した。また、基準軸から第２偏光板７（図１参照）の吸収軸までの反時計回りの角度をθ２とした場合、θ２＝９０°となるように第２偏光板７を配置した。
【０１２２】
なお、基準軸から第１偏光板６の偏光軸までの反時計回りの角度をθ１’とした場合、θ１’＝０°となるように第１偏光板６を配置してもよい。このとき、基準軸から第２偏光板７の偏光軸までの反時計回りの角度をθ２’とすると、θ２’＝９０°となるように第２偏光板６を配置すればよい。
【０１２３】
なお、第１偏光板６として、株式会社ポラテクノ製のＳＫＮ−１８２４３ＴＬ２Ｓを用いた。そして、第２偏光板７として、株式会社ポラテクノ製の０４５Ｒ６６０Ｎ２−ＶＨ３９Ｌ２Ｓ（Ｒｅ＝４５ｎｍ，Ｒｔｈ＝６６０ｎｍの光学補償フィルム付偏光板）を用いた。
【０１２４】
上記のように作成した液晶表示素子をデューティ比１／２４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【実施例５】
【０１２５】
図１７（ａ）は、実施例５の列電極（第１電極）の一部を示す拡大図である。図１７（ｂ）は、実施例５の行電極（第２電極）の一部を示す拡大図である。各列電極における個々の画素に該当する領域および各行電極における個々の画素に該当する領域にそれぞれ十字形の開口部および正方形の開口部が格子状に形成されるように、第１透明基板１（図１参照）上に複数の列電極をパターニングし、第２透明基板２（図１参照）上に複数の行電極をパターニングした。
【０１２６】
画素に該当する領域に設ける十字形の開口部の形状および大きさは、列電極および行電極で共通である。十字形の開口部の長さを２０μｍとした。十字形の開口部の幅および正方形の開口部の一辺の長さを１０μｍとした。十字形の開口部のピッチを８０μｍとした。実施例５では、隣接する十字形の開口部の間の中央に、正方形の開口部を１つ設ける（図１７参照）。
【０１２７】
また、パターニングの際、列電極および行電極を対向させたときに、行電極側の十字形の開口部が、列電極側の十字形の開口部の凹頂点を頂点とする正方形の領域の中央に存在するようにした。この場合、サブ画素領域は、一辺の長さが３０μｍの正方形となる。
【０１２８】
他の点に関しては、実施例４と同様に液晶表示素子を作製した。この液晶表示素子をデューティ比１／２４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【実施例６】
【０１２９】
図１８（ａ）は、実施例６の列電極（第１電極）の一部を示す拡大図である。図１８（ｂ）は、実施例６の行電極（第２電極）の一部を示す拡大図である。各列電極における個々の画素に該当する領域および各行電極における個々の画素に該当する領域にそれぞれ十字形の開口部および正方形の開口部が格子状に形成されるように、第１透明基板１（図１参照）上に複数の列電極をパターニングし、第２透明基板２（図１参照）上に複数の行電極をパターニングした。
【０１３０】
画素に該当する領域に設ける十字形の開口部の形状および大きさは、列電極および行電極で共通である。十字形の開口部の長さを１０μｍとした。十字形の開口部の幅および正方形の開口部の一辺の長さを１０μｍとした。十字形の開口部のピッチを１００μｍとした。実施例６では、隣接する十字形の開口部の間に、正方形の開口部を均等間隔になるように３つ設ける（図１８参照）。
【０１３１】
また、パターニングの際、列電極および行電極を対向させたときに、行電極側の十字形の開口部が、列電極側の十字形の開口部の凹頂点を頂点とする正方形の領域の中央に存在するようにした。この場合、サブ画素領域は、一辺の長さが４０μｍの正方形となる。
【０１３２】
他の点に関しては、実施例４，５と同様に液晶表示素子を作製した。この液晶表示素子をデューティ比１／２４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【実施例７】
【０１３３】
図１９（ａ）は、実施例７の列電極（第１電極）の一部を示す拡大図である。図１９（ｂ）は、実施例７の行電極（第２電極）の一部を示す拡大図である。各列電極における個々の画素に該当する領域および各行電極における個々の画素に該当する領域にそれぞれ十字形の開口部および正方形の開口部が格子状に形成されるように、第１透明基板１（図１参照）上に複数の列電極をパターニングし、第２透明基板２（図１参照）上に複数の行電極をパターニングした。
【０１３４】
画素に該当する領域に設ける十字形の開口部の形状および大きさは、列電極および行電極で共通である。十字形の開口部の長さを２０μｍとした。十字形の開口部の幅および正方形の開口部の一辺の長さを１０μｍとした。十字形の開口部のピッチを１００μｍとした。実施例６では、隣接する十字形の開口部の間に、正方形の開口部を均等間隔になるように２つ設ける（図１９参照）。
【０１３５】
また、パターニングの際、列電極および行電極を対向させたときに、行電極側の十字形の開口部が、列電極側の十字形の開口部の凹頂点を頂点とする正方形の領域の中央に存在するようにした。この場合、サブ画素領域は、一辺の長さが４０μｍの正方形となる。
【０１３６】
他の点に関しては、実施例４〜６と同様に液晶表示素子を作製した。この液晶表示素子をデューティ比１／２４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【実施例８】
【０１３７】
実施例８は、第２の実施形態の液晶表示素子をドットマトリクス側の液晶表示素子として実現した実施例である。
【０１３８】
図２０（ａ）は、実施例８の列電極（第１電極）の一部を示す拡大図である。図２０（ｂ）は、実施例８の行電極（第２電極）の一部を示す拡大図である。各列電極における個々の画素に該当する領域および各行電極における個々の画素に該当する領域にそれぞれ十字形の開口部が格子状に形成されるように、第１透明基板１（図１参照）上に複数の列電極をパターニングし、第２透明基板２（図１参照）上に複数の行電極をパターニングした。このとき、全列電極の各画素に該当する領域において、十字形の開口部の位置をそれぞれ共通とした。同様に、全行電極の各画素に該当する領域において、十字形の開口部の位置を共通とした。
【０１３９】
また、画素に該当する領域に設ける十字形の開口部の形状および大きさは、列電極および行電極で共通である。十字形の開口部の長さを２５μｍとした。十字形の開口部の幅を１０μｍとした。十字形の開口部のピッチを８０μｍとした。
【０１４０】
また、パターニングの際、列電極および行電極を対向させたときに、行電極側の十字形の開口部が、列電極側の十字形の開口部の凹頂点を頂点とする正方形の領域の中央に存在するようにした。この場合、サブ画素領域は、一辺の長さが３０μｍの正方形となる。すなわち、ｋ＝３０μｍである。十字形の開口部の長さは２５μｍであり、（ｋ／２）〜ｋの範囲に属している。
【０１４１】
他の点に関しては、実施例４〜７と同様に液晶表示素子を作製した。この液晶表示素子をデューティ比１／２４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【０１４２】
［比較例２］図２１は、比較例２の列電極（第１電極）の一部を示す拡大図である。図２０（ｂ）は、実施例８の行電極（第２電極）の一部を示す拡大図である。各列電極における個々の画素に該当する領域および各行電極における個々の画素に該当する領域にそれぞれ十字形の開口部が格子状に形成されるように、第１透明基板１（図１参照）上に複数の列電極をパターニングし、第２透明基板２（図１参照）上に複数の行電極をパターニングした。全列電極の各画素に該当する領域において、十字形の開口部の位置をそれぞれ共通とした。同様に、全行電極の各画素に該当する領域において、十字形の開口部の位置を共通とした。
【０１４３】
また、画素に該当する領域に設ける十字形の開口部の形状および大きさは、列電極および行電極で共通である。十字形の開口部の長さを１０μｍとした。十字形の開口部の幅を１０μｍとした。十字形の開口部のピッチを８０μｍとした。
【０１４４】
また、パターニングの際、列電極および行電極を対向させたときに、行電極側の十字形の開口部が、列電極側の十字形の開口部の凹頂点を頂点とする正方形の領域の中央に存在するようにした。この場合、サブ画素領域は、一辺の長さが３０μｍの正方形となる。すなわち、ｋ＝３０μｍである。十字形の開口部の長さは１０μｍであり、ｋ／２よりも小さな値となっている。
【０１４５】
他の点に関しては、実施例８と同様に液晶表示素子を作製した。この液晶表示素子をデューティ比１／２４で駆動したところ、電源をオンとして液晶に電圧を印加した場合に明るさのむら等が観察された。また、実施例８と比べて透過率が低く、視認性が低下していた。
【０１４６】
実施例８と比較例２とを比較すると、十字形の開口部の長さが（ｋ／２）〜ｋの範囲に属している実施例８の液晶表示素子の方が視認性が良好であった。実施例８と比較例２との比較により、サブ画素領域の対角線上に十字形の開口部の凹頂点が２つ存在することだけでなく、凹頂点を挟む２つの辺の長さが重要であることがわかる。対向する２つの電極のそれぞれの十字形の開口部から形成される矩形状のサブ画素領域において、中央部の液晶分子は２つの凹頂点を結ぶ線の方向に配向される。比較例２では、サブ画素領域の辺に相当する部分に開口部がないため、辺に相当する部分における液晶分子に対する配向規制力が弱くなり、配向が乱れたと推定される。従って、サブ画素領域の辺に相当する部分の配向規制力を確保するために十字形の開口部の長さは重要な要素の一つである。
【産業上の利用可能性】
【０１４７】
本発明は、ＶＡ型の液晶表示素子に好適に適用可能である。
【符号の説明】
【０１４８】
１  第１透明基板
２  第２透明基板
３  第１電極
４  第２電極
５  液晶層
６  第１偏光板
７  第２偏光板
１１，４１  十字形の開口部
１５  矩形の開口部
３３  凹頂点
３５  サブ画素領域
【図１】
0005890650.tif 000002
【図２】
0005890650.tif 000003
【図３】
0005890650.tif 000004
【図４】
0005890650.tif 000005
【図５】
0005890650.tif 000006
【図６】
0005890650.tif 000007
【図７】
0005890650.tif 000008
【図８】
0005890650.tif 000009
【図９】
0005890650.tif 000010
【図１０】
0005890650.tif 000011
【図１１】
0005890650.tif 000012
【図１２】
0005890650.tif 000013
【図１３】
0005890650.tif 000014
【図１４】
0005890650.tif 000015
【図１６】
0005890650.tif 000016
【図１７】
0005890650.tif 000017
【図１８】
0005890650.tif 000018
【図１９】
0005890650.tif 000019
【図２０】
0005890650.tif 000020
【図２１】
0005890650.tif 000021
【図１５】
0005890650.tif 000022